(57)【特許請求の範囲】
【請求項１】
上下動可能なパンチガイドにパンチチップを備えたパンチボディを上下動可能に装着し、前記パンチガイドを装着した矯正スリーブを設けると共に、該矯正スリーブに対して第１矯正プレートを上下動可能に設けた上型と、ダイを装着したダイスリーブを設けた下型とからなるパンチング金型において、前記上型の前記矯正スリーブの下部の小径部に設けたねじ部に螺合する第１矯正プレートを設け、該第１矯正プレートを回転させることにより該第１矯正プレートを前記矯正スリーブに対して上下動可能に設けると共に、該第１矯正プレートの前記矯正スリーブに対する回転を固定する固定ねじを該第１矯正プレートに設け、前記下型の前記ダイスリーブ下部に設けたねじ部に回転可能に螺合すると共に前記ダイの下部に上端を当接したダイリフタを設け、該ダイリフタを回転させることにより前記ダイの上面を前記ダイスリーブに対してして上下動可能に設け、前記第１矯正プレートの下面と前記パンチガイドの下面との段差と前記ダイの上面と前記ダイスリーブの上面との段差とを調整可能に設けてなることを特徴とするパンチング金型。
【請求項２】
請求項１に記載のパンチング金型において、前記矯正スリーブと前記パンチガイドを一体に設けてなることを特徴とするパンチング金型。
【発明の詳細な説明】
【０００１】
【発明の属する技術分野】
この発明は、ワークにパンチングを行ったときにワークに発生するソリを矯正するパンチング金型に関する。
【０００２】
【従来の技術】
従来、例えば図５に示されているように、同一のワークＷに多数個の穴の加工を行うと、ワークＷがソリ、著しい場合には、タレットパンチプレスの上部タレットにワークＷがひっかかり、加工することができなくなる。また、次工程で矯正する必要があった。また、例えば図６に示されているように、ソリの状況をみながらパンチガイド１０１とダイ１０３の形状を円錐状に加工したものを使用することによって、ワークＷに発生するソリを矯正することが知られている。
【０００３】
【発明が解決しようとする課題】
ところで、図６に示された従来のワークＷに発生するソリを矯正する金型では、ソリの矯正の加減ができなかったり、ソリの矯正のための加工専用であって、融通性にかけていた。
【０００４】
この発明の目的は、同一のワークに多数個の穴の加工を行う場合でもワークにソリを発生させないようにしたパンチング金型を提供することにある。
【０００５】
【課題を解決するための手段】
上記目的を達成するために請求項１によるこの発明のパンチング金型は、上下動可能なパンチガイドにパンチチップを備えたパンチボディを上下動可能に装着し、前記パンチガイドを装着した矯正スリーブを設けると共に、該矯正スリーブに対して第１矯正プレートを上下動可能に設けた上型と、ダイを装着したダイスリーブを設けた下型とからなるパンチング金型において、前記上型の前記矯正スリーブの下部の小径部に設けたねじ部に螺合する第１矯正プレートを設け、該第１矯正プレートを回転させることにより該第１矯正プレートを前記矯正スリーブに対して上下動可能に設けると共に、該第１矯正プレートの前記矯正スリーブに対する回転を固定する固定ねじを該第１矯正プレートに設け、前記下型の前記ダイスリーブ下部に設けたねじ部に回転可能に螺合すると共に前記ダイの下部に上端を当接したダイリフタを設け、該ダイリフタを回転させることにより前記ダイの上面を前記ダイスリーブに対してして上下動可能に設け、前記第１矯正プレートの下面と前記パンチガイドの下面との段差と前記ダイの上面と前記ダイスリーブの上面との段差とを調整可能に設けてなることを特徴とするものである。
【０００６】
したがって、前記構成の金型において、前記第１矯正プレートの下面と前記パンチガイドの下面との段差または前記ダイの上面と前記ダイスリーブ又は第２矯正プレートの上面との段差の少なくとも一方が調整可能に設けてあるから、ワークの材質、板厚、穴形状および大きさなどの加工条件が変わってもワークを加工した際にソリの発生が抑えられる。
【０００９】
請求項２によるこの発明のパンチング金型は、請求項１に記載のパンチング金型において、前記矯正スリーブと前記パンチガイドを一体に設けてなることを特徴とするものである。
【００１０】
したがって、前記矯正スリーブと前記パンチガイドが一体に設けられていても対応でき、ワークの材質、板厚、穴形状および大きさなどの加工条件が変わってもワークを加工した際にソリの発生を抑えることができる。
【００１１】
【発明の実施の形態】
以下、この発明の実施の形態を図面に基づいて詳細に説明する。
【００１２】
図１を参照するに、パンチング金型１は、上型３と下型５とで構成されている。前記上型３、下型５はそれぞれタレットパンチプレスの上部タレットＵＴ、下部タレットＤＴに装着されている。前記上型３の一部を構成する上下動可能な矯正スリーブ７が前記上部タレットＵＴの穴に装着されている。しかも、この矯正スリーブ７のフランジ７Ｆは前記上部タレットＵＴの上部に取り付けられたリフタ９の上部に当接されていて、リフタ９に巻回されたリフタスプリング１１の付勢力で前記矯正スリーブ７が常時上方へ付勢されている。前記矯正スリーブ７が装着されている上部タレットＵＴの穴の内周面には上下方向へ延伸したキー溝１３が形成されており、このキー溝１３にはキー１５が設けられている。
【００１３】
前記矯正スリーブ７内には上下動可能なパンチガイド１７が装着されている。しかも、前記矯正スリーブ７の内周面には上下方向へ延伸したキー溝１９が形成されており、このキー溝１９にはキー２１が設けられている。前記パンチガイド１７内にはパンチボディ２３が装着されている。このパンチボディ２３の下部には下方へ延伸したパンチチップ２５が一体化されていると共に、パンチボディ２３の上部には上方へ延伸したパンチドライバー２７が一体化されている。
【００１４】
このパンチドライバー２７の上方からリテナーカラー２９が装着され、このリテナーカラー２９の下面が前記パンチガイド１７の上部に形成されたフランジ１７Ｆに当接されている。前記パンチドライバー２７の上部にはパンチヘッド３１が螺合されて固定されている。このパンチヘッド３１とリテナーカラー２９との間にはストリッパスプリング３３が介在されており、このストリッパスプリング３３の付勢力で前記パンチドライバー２７が常時上方へ付勢されている。
【００１５】
前記矯正スリーブ７の下部には小径スリーブ７Ａが一体化されており、この小径スリーブ７Ａの外周には雄ねじ３５が形成されている。前記矯正スリーブ７の下方には第１矯正プレート３７が設けられており、この第１矯正プレート３７の内周には雌ねじ３９が形成されている。そして、前記雄ねじ３５に雌ねじ３９が螺合されている。前記矯正スリーブ７の下面には固定穴４１が形成されていると共に、固定穴４１に対応した第１矯正プレート３７の位置には上下方向へ延伸した穴４３にはプレート固定ねじ４５が挿入され、さらに、プレート固定ねじ４５が前記固定穴４１に入り、前記矯正スリーブ７に対して第１矯正プレート３７が固定される。したがって、前記パンチガイド１７の下面と第１矯正プレート３７の下面とには段差としての上型段差Ｈ1 が形成される。
【００１６】
前記プレート固定ねじ４５を緩めて前記矯正スリーブ７に対して第１矯正プレート３７を時計方向または反時計方向廻りに回すことにより、前記上型段差Ｈ1を調整することができる。
【００１７】
前記下部タレットＤＴには下型５の一部を構成しているダイスリーブ４７が装着されいてる。このダイスリーブ４７が装着されいる下部タレットＤＴの穴の内周面には上下方向へ延伸したキー溝４９が形成されており、このキー溝４９にはキー５１が設けられている。
【００１８】
ダイスリーブ４７にはダイ５３が装着されいる。また、ダイスリーブ４７の内周面には上下方向へ延伸したキー溝５５が形成されており、このキー溝５５にはキー５７が設けられている。前記ダイ５３の下部にはダイリフタ５９が設けられ、このダイリフタ５９の上面が前記ダイ５３の下面に当接されている。前記ダイリフタ５９の上部内周部には雄ねじ６１が形成されていると共に、前記ダイスリーブ４７の下部内周部には雌ねじ６３が形成されている。
【００１９】
そして、前記雄ねじ６１に雌ねじ６３が螺合されている。前記ダイスリーブ４７の下面には固定溝６５が形成されていると共に、固定溝６５に対応したダイリフタ５９の位置には上下方向へ延伸した穴６７にはリフタ固定ねじ６９が挿入され、さらに、リフタ固定ねじ６９が前記固定溝６５に入り、前記ダイスリーブ４７に対してダイ５３が固定される。したがって、前記ダイ５３の上面とダイスリーブ４７の上面とには段差としての下型段差Ｈ2 が形成される。
【００２０】
前記リフタ固定ねじ６９を緩めて前記ダイスリーブ４７に対してダイリフタ５９を時計方向または反時計方向廻りに回すことにより、前記下型段差Ｈ2 を調整することができる。
【００２１】
前記パンチヘッド３１の上方にはパンチヘッド３１を打撃するための上下動自在なストライカ７１が設けられている。
【００２２】
上記構成により、ダイ５３上にワークＷを載置せしめた状態で、ストライカ７１を下降せしめてパンチヘッド３１を打撃せしめると、パンチヘッド３１を介してパンチドライバー２７およびパンチボディ２３が下降すると共に、前記パンチガイド１７を介して前記矯正スリーブ７がリフタスプリング１１の付勢力に抗して下降して矯正プレート３７がワークＷの上面に当接される。
【００２３】
ついで、この状態でストリッパスプリング３３の付勢力に抗してパンチヘッド３１を介してパンチドライバー２７およびパンチボディ２３が下降するとパンチチップ２５とダイ５３との協動でワークＷにパンチング加工が行われることになる。このとき、前記パンチガイド１７の下面と矯正プレート３７の下面とに上型段差Ｈ１が形成されていると共に、前記ダイ５３の上面とダイスリーブ４７の上面とには下型段差Ｈ２が形成されているから、ワークＷのソリは通常打ち抜くパンチ側ワークＷの端部が上がってくるが、このソりと反対方向にワークＷをわずかに押し曲げる。その結果、加工されるワークＷにソリが発生するのを抑えることができる。
【００２４】
そのとき、ワークＷの矯正を見て上型３、下型５ともその上型段差Ｈ１、下型段差Ｈ２を調整することができるため、ワークＷの種類、板厚、穴形状、大きさが変わっても同一スリーブを使用することができる。
【００２５】
図２には図１に代わる他の実施の形態が示されている。図２において図１における部品と同じ部品には同一符号を付して重複する説明を省略する。図１においては上型３では矯正スリーブ７とパンチガイド１７とを別対にした例を示しているが、図２においては上型３では矯正スリーブ７とパンチガイド１７とを一対にした例を示しており、それ以外は全て同じである。
【００２６】
図２においては前記下部タレットＤＴには下型５の一部を構成しているダイホルダ６０が装着されいてる。このダイホルダ６０が装着されている下部タレットＤＴの穴の内周面には上下方向へ延伸したキー溝７３が形成されており、このキー溝７３にはキー７５が設けられている。
【００２７】
前記ダイホルダ６０にはダイ５３が装着されいる。また、ダイホルダ６０の内周面には上下方向へ延伸したキー溝７７が形成されており、このキー溝７７にはキー７９が設けられている。前記ダイホルダ７０の上部外周部には雄ねじ８１が形成されていると共に、下部タレットＤＴとダイホルダ６０との間の上部には第２矯正プレート３７Ｄが装着され、この第２矯正プレート３７Ｄの内周面には雌ねじ８３が形成されている。この雌ねじ８３と雄ねじ８１とが螺合されている。
【００２８】
前記ダイホルダ６０の上面には固定溝８５が形成されていると共に、固定溝８５に対応した第２矯正プレート３７Ｄの位置には上下方向へ延伸した穴８７にはホルダ固定ねじ８９が挿入され、さらに、ホルダ固定ねじ８９が前記固定溝８５に入り、前記ダイホルダ６０に対して第２矯正プレート３７Ｄが固定される。したがって、前記ダイ５３の上面と第２矯正プレート３７Ｄの上面とには段差としての下型段差Ｈ2 が形成される。
【００２９】
前記ホルダ固定ねじ８９を緩めて前記ダイホルダ６０に対して第２矯正プレート３７Ｄを時計方向または反時計方向廻りに回すことにより、前記下型段差Ｈ2を調整することができる。
【００３０】
而して、図１と同様の作用並びに効果を奏するものである。
【００３１】
図３には図１に代わる他の実施の形態が示されている。図３において図１における部品と同じ部品には同一符号を付して重複する説明を省略する。図３において前記パンチヘッド３１は図１のものと形状が異なっており、ストライカ７１で打撃されたり、あるいはストライカ７１を引っかけてパンチヘッド３１を上下動させるものである。ストリッパスプリング３３が矯正スリーブ７内に設けられている。図１と特に異なる点は、矯正プレート３７の上面にはスペーサリング９１が設けれていると共に、前記矯正プレート３７の上面における円周上には、適宜な間隔で複数の穴９３が形成されている。しかも、前記固定穴４１に対応したスペーサリング９１にはピン９５が設けられていると共に、スプリング９７が介装されている。このスプリング９７の付勢力で前記ピン９５が前記固定穴４１に入り、前記矯正スリーブ７に対して矯正プレート３７が固定される。したがって、前記パンチガイド１７の下面と矯正プレート３７の下面とには段差としての上型段差Ｈ1 が形成される。
【００３２】
前記スペーサリング９１を手で持ちスプリング９７の付勢力に抗して上方へ上げると前記ピン９５が前記穴９３から抜ける。この状態で前記矯正スリーブ７に対して前記矯正プレート３７を例えば時計方向または反時計方向廻りに回すことにより、別の穴９３に入り段階的に前記上型段差Ｈ１を調整することができる。
【００３３】
ダイスリーブ４７の下面にはスペーサリング９９が設けられていると共に、前記ダイリフタ５９の上面における円周上には、適宜な間隔で複数の穴１０１が形成されている。しかも、前記ダイリフタ５９に設けられた固定穴１０１に対応したスペーサリング９９にはピン１０５が設けられていると共に、スプリング１０７が介装されている。このスプリング１０７の付勢力で前記ピン１０５が前記固定穴１０１に入り、前記ダイスリーブ４７に対して前記ダイリフタ５９が固定される。なお、下部タレットＤＴと前記ダイスリーブ４７とはピン１０９で廻り止めされている。したがって、前記ダイ５３の下面と前記ダイスリーブ４７の下面とには段差としての下型段差Ｈ2 が形成される。
【００３４】
前記スペーサリング９９を手で持ちスプリング１０７の付勢力に抗して下方へ下げると前記ピン１０５が前記穴１０１から抜ける。この状態で前記ダイスリーブ４７に対して前記ダイリフタ５９を例えば時計方向または反時計方向廻りに回すことにより、ピン１０５が穴１０１から抜け別の穴１０１に入り段階的に前記した下型段差Ｈ2 を調整することができる。
【００３５】
而して、図１と同様の作用並びに効果を奏するものである。
【００３６】
図４には図３の上型３に代わる他の実施の形態が示されている。図４において図３における部品と同じ部品には同一符号を付して重複する説明を省略する。図４において前記矯正スリーブ７の左側には上下方向へ延伸した段付きの穴１１１が形成されており、この穴１１１には上下方向へ延伸した段付きのピン１１３が例えば上下から挿入されると共に、前記ピン１１３の上部には下方へ付勢したスプリング１１５が介装されている。しかも、前記矯正スリーブ７の左側上部には溝１１７を備えたブロック１１９が取り付けられ、前記溝１１７内に前記ピン１１３の先端がおさまっている。また、前記ピン１１３の下端は前記穴９３に入りこんでいて、前記矯正スリーブ７に対して前記矯正プレート３７が固定されている。
【００３７】
したがって、前記パンチガイド１７の下面と矯正プレート３７の下面とには段差としての上型段差Ｈ1 が形成される。
【００３８】
前記ピン１１３の先端を手で持ちスプリング１１５の付勢力に抗して上方へ上げると前記ピン１１５の下端が前記穴９３から抜ける。この状態で前記矯正スリーブ７に対して前記矯正プレート３７を例えば時計方向または反時計方向廻りに回すことにより、別の穴９３に入り段階的に前記上型段差Ｈ1 を調整することができる。
【００３９】
而して、図３と同様の作用並びに効果を奏するものである。
【００４０】
なお、この発明は、前述した発明の実施の形態に限定されることなく、適宜な変更を行うことにより、その他の態様で実施し得るものである。
【００４１】
【発明の効果】
以上のごとき発明の実施の形態の説明より理解されるように、請求項１の発明によれば、前記構成の金型において、前記矯正プレートの下面と前記パンチガイドの下面との段差または前記ダイの上面と前記ダイスリーブの上面との段差の少なくとも一方が調整可能に設けてあるから、ワークの材質、板厚、穴形状および大きさなどの加工条件が変わってもワークを加工した際にソリの発生を抑えることができる。
【００４３】
請求項２の発明によれば、前記矯正スリーブと前記パンチガイドが一体に設けられていても対応でき、ワークの材質、板厚、穴形状および大きさなどの加工条件が変わってもワークを加工した際にソリの発生を抑えることができる。
【図面の簡単な説明】
【図１】この発明のパンチング金型を上部、下部タレットに装着した状態の正面断面図である。
【図２】図１に代わる他の実施の形態の正面断面図である。
【図３】図１に代わる別の実施の形態の正面断面図である。
【図４】図３の上型における他の実施の形態の一部正面断面図である。
【図５】従来多数の穴をパンチング加工したときにソリが発生した状態のワークの斜視図である。
【図６】従来のワークにソリを発生させないようにした金型の正面図である。である。
【符号の説明】
１  パンチング金型
３  上型
５  下型
７  矯正スリーブ
１７  パンチガイド
２３  パンチボディ
２５  パンチチップ
２７  パンチドライバー
３７  第１矯正プレート
３７Ｄ  第２矯正プレート
４７  ダイスリーブ
５３  ダイ
５９  ダイリフタ
６０  ダイホルダ
Ｈ1   上段段差
Ｈ2   下段段差
【図１】
0004398001.tif 000002
【図２】
0004398001.tif 000003
【図３】
0004398001.tif 000004
【図４】
0004398001.tif 000005
【図５】
0004398001.tif 000006
【図６】
0004398001.tif 000007